(57)【要約】【課題】  データエントリに携わる人間が介在することによって個人情報が漏洩するリスクを小さくする。【解決手段】手書き文書が記された原本シート(d1)をスキャニングするスキャニング手段(A)と、スキャニングデータを二次元において複数のデジタルシートへ分割することで分割シートデータ(d2)を作成する二次元分割手段(B)と、分割シートデータ(d2)を復元可能とするための紐付けデータ(d3)を付与する紐付け付与手段(C)と、紐付けデータ(d3)を付与された分割シートデータ(d2)における手書き箇所(d0)をデジタルデータへＡＤ変換するためのＡＤ変換端末(D)へ送信する分割シートデータ送信手段(E)と、変換された分割シートデジタル化データ(d4)を受信するデジタルデータ受信手段(F)と、分割シートデジタル化データ(d4)を紐付けデータ(d3)に基づいて原本シート(d1)の手書き文書部分(d0)をデジタル化したデジタル文書へ合成するデータ合成手段(G)と、を備える。【選択図】  図２
2016006579.tif 000002
【特許請求の範囲】
【請求項１】
手書き文書が記された原本シートにおける手書き箇所をデジタル化する際のセキュリティを向上させるための装置であって、
手書き文書が記された原本シートをスキャニングするスキャニング手段と、
そのスキャニング手段にてスキャニングされたスキャニングデータを二次元において複数のデジタルシートへ分割することで分割シートデータを作成する二次元分割手段と、
その二次元分割手段で分割された分割シートデータを復元可能とするための紐付けデータを付与して保存する紐付け付与手段と、
前記の分割シートデータにおける手書き箇所をデジタルデータへＡＤ変換するためのＡＤ変換端末に対して各分割シートデータを別々のＡＤ変換端末へ送信する分割シートデータ送信手段と、
前記のＡＤ変換端末にてデジタルデータへ変換された分割シートデジタル化データを受信するデジタルデータ受信手段と、
受信した分割シートデジタル化データを前記の紐付けデータに基づいて、原本シートの手書き文書部分をデジタル化したデジタル化完了シートへ合成するデータ合成手段と、
を備えた手書き文書セキュリティ装置。
【請求項２】
前記の分割シートデータ送信手段は、ひとつの分割シートデータを複数のＡＤ変換端末へ送信することとし、
前記のデジタルデータ受信手段は、ひとつの分割シートデータが異なるＡＤ変換端末にてデジタル化された複数の分割シートデジタル化データを受信し、
ひとつの分割シートデータに対応する複数の分割シートデジタル化データの内容が一致しているか否かを判断する一致判断手段と、
その一致判断手段が不一致と判断した場合には、正しいデータを入力するためのスーパーバイザーに係るスーパーバイザー端末へ送信するためのスーパーバイザー送信手段と、
そのスーパーバイザー端末から送信されてきた正規データを受信する正規データ受信手段と、を備え、
前記のデータ合成手段は、前記の正規データ受信手段が受信した正規データを採用して原本シートの手書き文書部分をデジタル化したデジタル文書へ合成することとした請求項１に記載の手書き文書セキュリティ装置。
【請求項３】
前記のスキャニング手段がスキャニングしたスキャニングデータにおける手書き箇所をＯＣＲ処理によってデジタル化して仮デジタル化データを作成する仮デジタル化手段を備え、
前記の分割シートデータ送信手段は、前記の仮デジタル化データをも送信することとした請求項１または請求項２のいずれかに記載の手書き文書セキュリティ装置。
【請求項４】
手書き文書が記された原本シートにおける手書き箇所をオンライン経由でデジタル化するＡＤ変換端末であって、
手書き文書が記された原本シートがスキャニングされてから分割された一部である分割シートデータを手書き文書セキュリティサーバから受信する分割シートデータ受信手段と、
受信した分割シートデータを画面出力する画面出力手段と、
その画面出力手段に表示された分割シートデータにおける手書き箇所をデジタル入力するための入力手段と、
その入力手段が入力したデジタルデータを、前記分割シートデータとの紐付けをして手書き文書セキュリティサーバへ送信するデジタルデータ送信手段と、
を備えたＡＤ変換端末。
【請求項５】
手書き文書が記された原本シートにおける手書き箇所をデジタル化する際のセキュリティを向上させるための手書き文書セキュリティ装置を制御するためのコンピュータプログラムであって、
手書き文書が記された原本シートをスキャニングするスキャニング手順と、
そのスキャニング手順にてスキャニングされたスキャニングデータを二次元において複数のデジタルシートへ分割することで分割シートデータを作成する二次元分割手順と、
その二次元分割手順にて分割された分割シートデータを復元可能とするための紐付けデータを付与して保存する紐付け付与手順と、
前記の分割シートデータにおける手書き箇所をデジタルデータへＡＤ変換するためのＡＤ変換端末に対して各分割シートデータを別々のＡＤ変換端末へ送信する分割シートデータ送信手順と、
前記のＡＤ変換端末にてデジタルデータへ変換された分割シートデジタル化データを受信するデジタルデータ受信手順と、
受信した分割シートデジタル化データを前記の紐付けデータに基づいて、原本シートの手書き文書部分をデジタル化したデジタル化完了シートへ合成するデータ合成手順と、
を、手書き文書セキュリティ装置を制御するコンピュータに実行させることとしたコンピュータプログラム。
【請求項６】
前記の分割シートデータ送信手順は、ひとつの分割シートデータを複数のＡＤ変換端末へ送信することとし、
前記のデジタルデータ受信手順では、ひとつの分割シートデータが異なるＡＤ変換端末にてデジタル化された複数の分割シートデジタル化データを受信することとするとともに、
ひとつの分割シートデータに対応する複数の分割シートデジタル化データの内容が一致しているか否かを判断する一致判断手順と、
その一致判断手順において不一致と判断した場合には、正しいデータを入力するためのスーパーバイザーに係るスーパーバイザー端末へ送信するためのスーパーバイザー送信手順と、
そのスーパーバイザー端末から送信されてきた正規データを受信する正規データ受信手順と、
を、手書き文書セキュリティ装置を制御するコンピュータに更に実行させることとし、
前記のデータ合成手順においては、前記の正規データ受信手順にて受信した正規データを採用して原本シートの手書き文書部分をデジタル化したデジタル文書へ合成することとした請求項５に記載のコンピュータプログラム。
【請求項７】
前記のスキャニング手順にてスキャニングしたスキャニングデータにおける手書き箇所をＯＣＲ処理によってデジタル化して仮デジタル化データを作成する仮デジタル化手順を含み、
前記の分割シートデータ送信手順は、前記の仮デジタル化データをも送信することとした請求項５または請求項６のいずれかに記載のコンピュータプログラム。
【請求項８】
手書き文書が記された原本シートにおける手書き箇所をオンライン経由でデジタル化するＡＤ変換端末を制御するコンピュータプログラムであって、
手書き文書が記された原本シートがスキャニングされてから分割された一部である分割シートデータを手書き文書セキュリティサーバから受信する分割シートデータ受信手順と、
受信した分割シートデータを画面出力する画面出力手順と、
その画面出力手順にて表示された分割シートデータにおける手書き箇所をデジタル入力するための入力手順と、
その入力手順にて入力したデジタルデータを、前記分割シートデータとの紐付けをして手書き文書セキュリティサーバへ送信するデジタルデータ送信手順と、
ＡＤ変換端末に実行させることとしたコンピュータプログラム。
【発明の詳細な説明】
【技術分野】
【０００１】
本発明は、手書きされた文書をデジタル化する際に懸念される情報漏洩を抑制するための技術に関するものである。
【背景技術】
【０００２】
手書きされる情報の例として、各種の申し込み手続き書類がある。たとえば、クレジットカードの申込書には、氏名、生年月日、住所、職業などの個人情報が記載される。
こうした個人情報は、厳重に管理されるべきである一方、デジタル化処理が必須である。デジタル化しないと、データ管理や各種の関連処理が困難なためである。
【０００３】
デジタル化処理については、ＯＣＲソフトを用いても１００％の確実性が期待できないことが、経験的に知られている。そのため、ほぼ全てのデジタル化処理は、人手による打ち込み入力に依存している。
人手に依存するがゆえに、以下のようないくつかの問題点が発生する。
【０００４】
第一の問題点として、デジタル化すべき手書き文書が誕生した時点から入力作業を開始するまでの間に、情報漏洩の発生可能性が生じる点である。
すなわち、デジタル化すべき手書き文書が誕生した場所にいる第一の文書管理者が、デジタル化処理をする第二の文書管理者へ手書き文書を渡さなければならない。更に詳しく説明する。
【０００５】
第一の文書管理者がデジタル化処理を実行することは稀であり、第一の管理者とは別人物である第二の文書管理者がデジタル化処理、すなわち手書きの文字を情報端末にてタイプしてデジタル文書を作成することになる。第一の管理者から第二の管理者へ手書き文書の原本を渡すことは、紛失のおそれなどからできないので、複製（副本）が渡されることになる。副本が存在するということで、その副本が紛失する、不正に複製（カメラで撮影、スキャナーでスキャニングされる場合を含む）されて持ち去られる、といった可能性が発生するのである。
【０００６】
第二の問題点として、デジタル化のための入力作業が開始されて完了するまでの間に、入力ミスの発生可能性が生じる点である。
入力ミスの発生を抑制するため、以下のような手法が一般化している。すなわち、同じ手書き文書を複数の入力作業者が入力し、不一致箇所を第三者（スーパーバイザー）が修正統一する、という手法である。
【０００７】
第二の問題点を解決するための手法を採用すると、デジタル化のための入力作業が開始されて完了するまでの間においても、情報漏洩の発生可能性が生じることとなる。  すなわち、スーパーバイザーにも複製（副本）が渡されることになる。スーパーバイザー用の副本が存在するということで、その副本が紛失する、不正に複製されて持ち去られる、といった可能性が発生することになる。
【０００８】
さて、手書き文書の管理やセキュリティ対策について、特許文献１に開示された技術がある。すなわち、個人情報を含む帳票イメージデータのデータエントリを行う場合に、高いセキュリティを保ちかつ入力効率を高めることを目的とした技術である。
【０００９】
また、特許文献２では、セキュリティを付与するための個人情報の記載箇所へ不可視トナーを用いる技術を更に高度化し、不可視トナーが不足した場合であってもセキュリティを確保する、という技術が開示されている。
【先行技術文献】
【特許文献】
【００１０】
【特許文献１】特開２００６−７２７８３号公報
【特許文献２】特開２００７−７８９８１号公報
【発明の概要】
【発明が解決しようとする課題】
【００１１】
前述した特許文献１および２の技術では、デジタル化に携わる人間が個人情報を複写してしまう、という根本的な漏洩ルートを絶つことができない。
入力ミスをチェックするスーパーバイザーが介在する場合、そのスーパーバイザーに個人情報を届ける際や届けた後の処理が適切になされない場合、という漏洩ルートも絶つことはできない。
【００１２】
本願発明が解決しようとする課題は、データエントリに携わる人間が介在することによって個人情報が漏洩するリスクを小さくすることである。
【課題を解決するための手段】
【００１３】
前述した課題を解決するため、本願では、以下のような発明を提供する。
第一の発明としては、手書き文書セキュリティ装置を、第二の発明としては、前記の手書き文書セキュリティ装置に対応したＡＤ（アナログ−デジタル）変換端末を、第三の発明としては、前記の手書き文書セキュリティ装置にインストールされるコンピュータプログラムを、第四の発明としては、前記のＡＤ変換端末にインストールされるコンピュータプログラムを、それぞれ提供する。
【００１４】
（第一の発明）
第一の発明は、手書き文書が記された原本シート(d1)における手書き箇所(d0)をデジタル化する際のセキュリティを向上させるための手書き文書セキュリティ装置に係る。
すなわち、手書き文書が記された原本シート(d1)をスキャニングするスキャニング手段(A)と、
そのスキャニング手段(A)にてスキャニングされたスキャニングデータを二次元において複数のデジタルシートへ分割することで分割シートデータ(d2-1,d2-2,d-2-3,・・・)を作成する二次元分割手段(B)と、
その二次元分割手段(B)で分割された分割シートデータ(d2-1,d2-2,d-2-3,・・・)を復元可能とするための紐付けデータ(d3-1,d3-2,d3-3,・・・)を付与して保存する紐付け付与手段(C)と、
前記の分割シートデータ(d2-1,d2-2,d-2-3,・・・)における手書き箇所(d0)をデジタルデータへＡＤ変換するためのＡＤ変換端末(D) に対して各分割シートデータ(d2-1,d2-2,d-2-3,・・・)を別々のＡＤ変換端末(D1,D2,D3,・・・)へ送信する分割シートデータ送信手段(E)と、
前記のＡＤ変換端末(D)にてデジタルデータへ変換された分割シートデジタル化データ(d4)を受信するデジタルデータ受信手段(F)と、
受信した分割シートデジタル化データ(d4)を前記の紐付けデータ(d3)に基づいて、原本シート(d1)の手書き文書部分(d0)をデジタル化したデジタル化完了シート(d5)へ合成するデータ合成手段(G)と、を備える。
【００１５】
（用語説明）
「手書き文書」とは、予め用意された所定の書式における空欄へ手書きにて文字や数字を記入された文書を言う。一枚のシートに文字を記入すると複数枚へ同じ文字が複写される各シートも、この「手書き文書」、「原本シート」に含まれる。
「分割」は、分割されることによって分割シートデータの手書き部分に記載された個人情報が漏洩したとしても、何らの意味を持たないレベルまで分割される。
ＡＤ変換端末(D)とは、アナログのデータをデジタルに変換するための情報通信端末である。具体的には、パーソナルコンピュータ、タブレット端末、スマートフォン、携帯電話などである。
【００１６】
（作用）
手書き文書が記された原本シート(d1)を、スキャニング手段(A)がスキャニングする。
そのスキャニング手段(A)にてスキャニングされたスキャニングデータ(d2)を二次元において複数のデジタルシートへ分割することで分割シートデータ(d2-1,d2-2,d-2-3,・・・)を、二次元分割手段(B)が作成する。
その二次元分割手段(B)で分割された分割シートデータ(d2-1,d2-2,d2-3,・・・)を復元可能とするための紐付けデータ(d3-1,d3-2,d3-3,・・・)を、紐付け付与手段(C)が付与する。
分割シートデータ(d2-1,d2-2,d2-3,・・・)における手書き箇所(d0)をデジタルデータへＡＤ変換するためのＡＤ変換端末(D)へ、分割シートデータ送信手段(E)が送信する。このとき、分割シートデータ(d2-1)はＡＤ変換端末(D-1)へ、分割シートデータ(d2-2)はＡＤ変換端末(D-2)へ、というように、バラバラに送信される。
前記のＡＤ変換端末(D)にてデジタルデータへ変換された分割シートデジタル化データ(d4-1,d4-2,d4-3,・・・)を、デジタルデータ受信手段(F)が受信する。
受信した分割シートデジタル化データ(d4-1,d4-2,d4-3,・・・)を紐付けデータ(d3-1,d3-2,d3-3,・・・)に基づいて、原本シートの手書き文書部分をデジタル化したデジタル化完了シート(d5)へ、データ合成手段(G)が合成する。
【００１７】
ＡＤ変換端末(D1,D2,D3,・・・)の操作者は、原本シート(d1)が分割された一部分である分割シートデータ(たとえばd2-1)のみを受信して出力させるため、原本シート(d1)の全体を見ることがない。したがって、操作者を原因とした個人情報が漏洩する危険性を著しく低めることができる。
【００１８】
（第一の発明のバリエーション１）
第一の発明に係る手書き文書セキュリティ装置は、以下のように形成すると、より好ましい。
すなわち、前記の分割シートデータ送信手段(E)は、ひとつの分割シートデータ(d2-3)を複数のＡＤ変換端末(D3,D4)へ送信することとし、
前記のデジタルデータ受信手段(F)は、ひとつの分割シートデータ(d2-3)が異なるＡＤ変換端末(D3,D4)にてデジタル化された複数の分割シートデジタル化データ(d4-3,d4-3’)を受信し、
ひとつの分割シートデータ(d2-3)に対応する複数の分割シートデジタル化データ(d4-3,d4-3’)の内容が一致しているか否かを判断する一致判断手段(K)と、
その一致判断手段(K)が不一致と判断した場合には、正規データを入力するためのスーパーバイザーに係るスーパーバイザー端末(M)へ送信するためのスーパーバイザー送信手段(L)と、
そのスーパーバイザー端末(M)から送信されてきた正規データ(d4-3)を受信する正規データ受信手段(N)と、を備え、
前記のデータ合成手段(G)は、前記の正規データ受信手段(N)が受信した正規データ(d4-3)を採用して原本シートの手書き文書部分をデジタル化したデジタル文書へ合成することとする。
【００１９】
（作用）
分割シートデータ送信手段(E)が、ひとつの分割シートデータ(d2-3)を複数のＡＤ変換端末(D3,D4)へ送信する。受信したＡＤ変換端末(D3,D4)は、それぞれ、分割シートデータ(d2-3)をデジタルデータへ変換し、分割シートデジタル化データ(d4-3,d4-3’)を作成する。そして、送り返す。
前記のデジタルデータ受信手段(F)が、ひとつの分割シートデータ(d2-3)が異なるＡＤ変換端末(D3,D4)にてデジタル化された複数の分割シートデジタル化データ(d4-3,d4-3’)を受信する。  そして、ひとつの分割シートデータ(d2-3)に対応する複数の分割シートデジタル化データ(d4-3,d4-3’)の内容が一致しているか否かを、一致判断手段(K)が判断する。
その一致判断手段(K)が不一致と判断した場合には、正規データを入力するためのスーパーバイザーに係るスーパーバイザー端末(M)へ、スーパーバイザー送信手段(L)が送信する。スーパーバイザー端末(M)においては、分割シートデジタル化データ(d4-3,d4-3’)のいずれが正しい変換なのかを確認し、必要に応じて正規データ(d4-3)を入力する。そして、正規データ(d4-3)を送り返す。
そのスーパーバイザー端末(M)から送信されてきた正規データ(d4-3)を、正規データ受信手段(N)が受信する。  正規データ受信手段(N)が受信した正規データ(d4-3)を採用し、データ合成手段(G)が原本シートの手書き文書部分をデジタル化したデジタル文書へ合成する。
【００２０】
ＡＤ変換端末(D3,D4)の操作者が、正しいデジタル変換入力をしていない場合がある。そこで、ひとつのデータごとに，複数のＡＤ変換端末(D3,D4)へ送信し、二つの分割シートデジタル化データ(d4-3,d4-3’)を得る。分割シートデジタル化データ(d4-3,d4-3’)が一致している場合には、ほぼ正しいデジタル変換入力がなされていると考えられる。
分割シートデジタル化データ(d4-3,d4-3’)が一致していない場合には、いずれがのＡＤ変換端末(D3,D4)にて誤入力された可能性がある。不一致の場合のみ、第三者であるスーパーバイザー端末(M)の操作者へ判断を委ねる。
以上の流れから、誤入力の可能性を低めるとともに、ＡＤ変換端末(D3,D4)の操作者、スーパーバイザー端末(M)の操作者の負担を軽減する。
【００２１】
（第一の発明のバリエーション２）
第一の発明に係る手書き文書セキュリティ装置は、以下のように形成することもできる。
すなわち、  前記のスキャニング手段(A)がスキャニングしたスキャニングデータ(d1-1)における手書き箇所(d0)をＯＣＲ処理によってデジタル化して仮デジタル化データ(d1-2)を作成する仮デジタル化手段(P)を備え、  前記の分割シートデータ送信手段(E)は、前記の仮デジタル化データ(d1-2)をも送信する。
【００２２】
（作用）
スキャニング手段(A)がスキャニングしたスキャニングデータ(d1-1)を、仮デジタル化手段(P)によって、手書き箇所(d0)をＯＣＲ処理によってデジタル化し、仮デジタル化データ(d1-2)を作成する。その仮デジタル化データ(d1-2)は、分割シートデータ送信手段(E)がＡＤ変換端末(D)へ送信する。
【００２３】
ＯＣＲ技術による手書き文字のデジタル化は、完全性を望めない。しかし、入力の手間を省くことができ、処理速度の向上に寄与する場合がある。そこで、スキャニングデータ(d1-1)を、仮デジタル化手段(P)によって、手書き箇所(d0)をＯＣＲ処理することにより、ＡＤ変換端末(D)の操作者の負担を軽減する。
【００２４】
（第二の発明）
第二の発明は、  手書き文書が記された原本シート(d1)における手書き箇所(d0)をオンライン経由でデジタル化するＡＤ変換端末(D)に係る。
すなわち、手書き文書が記された原本シート(d1)がスキャニングされてから分割された一部である分割シートデータ(d2-1)を手書き文書セキュリティサーバから受信する分割シートデータ受信手段(D-a)と、
受信した分割シートデータ(d2-1)を画面出力する画面出力手段(D-b)と、
その画面出力手段(D-b)に表示された分割シートデータ(d2-1)における手書き箇所(d0)をデジタル入力するための入力手段(D-c)と、
その入力手段(D-c)が入力した分割シートデジタル化データ(d4-1)を、前記分割シートデータ(d2-1)との紐付けをして手書き文書セキュリティサーバへ送信するデジタルデータ送信手段(D-d)と、を備える。
【００２５】
（作用）
手書き文書が記された原本シート(d1)がスキャニングされてから分割され、分割シートデータ(d2-1,d2-2,d2-3,・・・)が作成される。その分割シートデータ(d2-1,d2-2,d2-3,・・・)の一部である分割シートデータ(d2-1)を手書き文書セキュリティサーバから、分割シートデータ受信手段(D-a)が受信する。
受信した分割シートデータを、画面出力手段(D-b)が画面出力する。ＡＤ変換端末(D)の操作者は、その画面出力を見て、  その画面出力手段(D-b)に表示された分割シートデータ(d2-1)における手書き箇所(d0)を、入力手段(D-c)にてデジタル入力する。
その入力手段(D-c)が入力した分割シートデジタル化データ(d4-1)を、デジタルデータ送信手段(D-d)が前記分割シートデータ(d2-1)との紐付けをして手書き文書セキュリティサーバへ送信する。
【００２６】
ＡＤ変換端末(D)の操作者にとっては、分割シートデータ(d2-1,d2-2,d2-3,・・・)の一部である分割シートデータ(d2-1)を、画面出力手段(D-b)に表示されるのみである。すなわち、ＡＤ変換端末(D)の操作者は、原本シート(d1)の全体を閲覧することはできないので、ＡＤ変換端末(D)の操作者が介在することを理由として個人情報が漏洩する危険性が極めて小さい。
【００２７】
（第三の発明）
第三の発明は、手書き文書が記された原本シートにおける手書き箇所をデジタル化する際のセキュリティを向上させるための手書き文書セキュリティ装置を制御するためのコンピュータプログラムに係る。
そのコンピュータプログラムは、  手書き文書が記された原本シートをスキャニングするスキャニング手順と、
そのスキャニング手順にてスキャニングされたスキャニングデータを二次元において複数のデジタルシートへ分割することで分割シートデータを作成する二次元分割手順と、
その二次元分割手順にて分割された分割シートデータを復元可能とするための紐付けデータを付与して保存する紐付け付与手順と、
前記の分割シートデータにおける手書き箇所をデジタルデータへＡＤ変換するためのＡＤ変換端末に対して各分割シートデータを別々のＡＤ変換端末へ送信する分割シートデータ送信手順と、
前記のＡＤ変換端末にてデジタルデータへ変換された分割シートデジタル化データを受信するデジタルデータ受信手順と、
受信した分割シートデジタル化データを前記の紐付けデータに基づいて、原本シートの手書き文書部分をデジタル化したデジタル化完了シートへ合成するデータ合成手順と、
を、手書き文書セキュリティ装置を制御するコンピュータに実行させることとしたコンピュータプログラムである。
【００２８】
（第三の発明のバリエーション１）
第三の発明は、以下のようにすると、より好ましい。
すなわち、  前記の分割シートデータ送信手順は、ひとつの分割シートデータを複数のＡＤ変換端末へ送信することとし、
前記のデジタルデータ受信手順では、ひとつの分割シートデータが異なるＡＤ変換端末にてデジタル化された複数の分割シートデジタル化データを受信することとするとともに、
ひとつの分割シートデータに対応する複数の分割シートデジタル化データの内容が一致しているか否かを判断する一致判断手順と、
その一致判断手順において不一致と判断した場合には、正しいデータを入力するためのスーパーバイザーに係るスーパーバイザー端末へ送信するためのスーパーバイザー送信手順と、
そのスーパーバイザー端末から送信されてきた正規データを受信する正規データ受信手順と、
を、手書き文書セキュリティ装置を制御するコンピュータに更に実行させることとし、
前記のデータ合成手順においては、前記の正規データ受信手順にて受信した正規データを採用して原本シートの手書き文書部分をデジタル化したデジタル文書へ合成する。
【００２９】
（第三の発明のバリエーション１）
第三の発明は、以下のようにしても良い。
すなわち、    前記のスキャニング手順にてスキャニングしたスキャニングデータにおける手書き箇所をＯＣＲ処理によってデジタル化して仮デジタル化データを作成する仮デジタル化手順を含み、  前記の分割シートデータ送信手順は、前記の仮デジタル化データをも送信することとしてもよい。
【００３０】
（第四の発明）
第四の発明は、手書き文書が記された原本シートにおける手書き箇所をオンライン経由でデジタル化するＡＤ変換端末を制御するコンピュータプログラムに係る。
そのコンピュータプログラムは、手書き文書が記された原本シートがスキャニングされてから分割された一部である分割シートデータを手書き文書セキュリティサーバから受信する分割シートデータ受信手順と、
受信した分割シートデータを画面出力する画面出力手順と、
その画面出力手順にて表示された分割シートデータにおける手書き箇所をデジタル入力するための入力手順と、
その入力手順にて入力したデジタルデータを、前記分割シートデータとの紐付けをして手書き文書セキュリティサーバへ送信するデジタルデータ送信手順と、
ＡＤ変換端末に実行させることとしたコンピュータプログラムである。
【００３１】
第三および第四の発明に係るコンピュータプログラムを、記録媒体に格納して提供することもできる。電話回線を介してコンピュータ（制御機器）へインストールさせることもできる。
【発明の効果】
【００３２】
第一の発明によれば、データエントリに携わる人間が介在することによって個人情報が漏洩するリスクを小さくすることに寄与する手書き文書セキュリティ装置を提供することができた。
第二の発明によれば、データエントリに携わる人間が介在することによって個人情報が漏洩するリスクを小さくことに寄与するＡＤ変換端末を提供することができた。
第三の発明よれば、データエントリに携わる人間が介在することによって個人情報が漏洩するリスクを小さくすることに寄与する手書き文書セキュリティ・プログラムを提供することができた。
第四の発明よれば、データエントリに携わる人間が介在することによって個人情報が漏洩するリスクを小さくすることに寄与するＡＤ変換端末用アプリケーション・プログラムを提供することができた。
【図面の簡単な説明】
【００３３】
【図１】手書き箇所を含む文書データを分割する手順を示す概念図である。
【図２】本発明の第一の実施形態におけるハードウェア構成を示すブロック図である。
【図３】本発明の第一の実施形態におけるデータの変化を示すブロック図である。
【図４】本発明の第二の実施形態におけるハードウェア構成を示すブロック図である。
【図５】本発明の第三の実施形態におけるハードウェア構成を示すブロック図である。
【図６】第三の実施形態における主要部を示す概念図である。
【図７】本発明の第四の実施形態におけるハードウェア構成を示すブロック図である。
【発明を実施するための形態】
【００３４】
以下、本願発明を実施形態および図面を用いて、更に具体的に説明する。ここで使用する図面は、図１から図７である。
なお、説明中の図に現れていない構成要件記号、データ種別記号については、（  ）にて表示する。
【００３５】
（図１）
図１には、与えられたフォーマット（○×△という会員の申込書）と、そのフォーマットが要求する情報を手書きしたシート（原本シートｄ１）とを示す。更に、その原本シートｄ１を二次元的に分割して、分割シートデータｄ２−１，ｄ２−２，ｄ２−３，・・・を作成する様子を、概念的に示す。
【００３６】
この原本シートｄ１には、申込者の姓名、郵便番号、および住所という個人情報が含まれている。
以下、図２から図６までに示すのは、この原本シートｄ１に記載された手書き箇所ｄ０をデジタル化する際に、個人情報が漏洩する危険性を低めるハードウェア構成およびデータ変換の変遷である。
【００３７】
後述する二次元分割手段(B)は、手書きの情報が書き加えられていないフォーマット（○×△という会員の申込書）を記録するとともに、そのフォーマットがＸＹの座標軸において、どこで分割するのが合理的かを予め定めて記憶している。
【００３８】
図１においては、原本シートにおける手書き箇所ｄ０のうち、氏名をカタカナと漢字とで手書きして貰う箇所のうち、「氏」と「名」とを分割している。後述するが、「氏」と「名」の手書き箇所ｄ０をＡＤ変換するためのＡＤ変換端末は異なるように送信される。すなわち、端末操作者は異なっている。これだけで、個人情報の漏洩の危険性を下げていることが明らかであろう。
【００３９】
「氏」と「名」とを分割しているのと同様、郵便番号も最初の３桁と、後ろの４桁とは分割する。都道府県、市町村、町名、番地、ビル名等も、分割する。そして、前述したのと同様、ＡＤ変換するためのＡＤ変換端末は異なるように送信される。
【００４０】
（図２）
図２は、手書き文書セキュリティサーバ、複数台（この図では２台）のＡＤ変換端末Ｄ１，Ｄ２におけるハードウェア構成を示している。
手書き文書セキュリティサーバは、手書き文書が記された原本シートｄ１における手書き箇所(d0)をデジタル化する際のセキュリティを向上させるための手書き文書セキュリティ装置として機能する。
【００４１】
すなわち、手書き文書が記された原本シートｄ１をスキャニングするスキャニング手段Ａと、  そのスキャニング手段Ａにてスキャニングされたスキャニングデータを二次元において複数のデジタルシートへ分割することで分割シートデータ(d2-1,d2-2,d-2-3,・・・)を作成する二次元分割手段Ｂと、  その二次元分割手段Ｂで分割された分割シートデータ(d2-1,d2-2,d-2-3,・・・)を復元可能とするための紐付けデータ(d3-1,d3-2,d3-3,・・・)を付与して保存する紐付け付与手段Ｃと、  前記の分割シートデータ(d2-1,d2-2,d-2-3,・・・)を別々のＡＤ変換端末Ｄ１，Ｄ２へ送信する分割シートデータ送信手段Ｅと、  前記のＡＤ変換端末Ｄにてデジタルデータへ変換された分割シートデジタル化データ(d4)を受信するデジタルデータ受信手段Ｆと、  受信した分割シートデジタル化データ(d4)を前記の紐付けデータ(d3)に基づいて、原本シート(d1)の手書き文書部分(d0)をデジタル化したデジタル化完了シート(d5)へ合成するデータ合成手段Ｇと、を備える。
【００４２】
ＡＤ変換端末Ｄ１は、  手書き文書が記された原本シート(d1)がスキャニングされてから分割された一部である分割シートデータ(d2-1)を手書き文書セキュリティサーバから受信する分割シートデータ受信手段Ｄ−ａと、  受信した分割シートデータ(d2-1)を画面出力する画面出力手段Ｄ−ｂと、  その画面出力手段Ｄ−ｂに表示された分割シートデータ(d2-1)における手書き箇所(d0)をデジタル入力するための入力手段Ｄ−ｃと、  その入力手段Ｄ−ｃが入力した分割シートデジタル化データ(d4-1)を、前記分割シートデータ(d2-1)との紐付けをして手書き文書セキュリティサーバへ送信するデジタルデータ送信手段Ｄ−ｄと、を備える。
ＡＤ変換端末Ｄ２も、ＡＤ変換端末Ｄ１とハードウェア構成は同じであるので、図示を簡略化している。
【００４３】
（図３）
図２に基づいて説明したハードウェア構成によって、原本シートｄ−１は、以下のように加工される。
まず、スキャニング手段(A)によって、原本シートｄ−１はイメージデータに変換される。そのイメージデータを、二次元分割手段(B)によって分割し、分割シートデータｄ２−１．ｄ２−２，ｄ２−３，・・・が作成される。
【００４４】
分割シートデータｄ２−１．ｄ２−２，ｄ２−３，・・・に対しては、デジタル化が終了した場合に元の原本シートへの再現を可能とするため、紐付けデータｄ３−１，ｄ３−２，ｄ３−３，・・・が、一対一で対応するように付与され、所定の記憶装置へ格納される。
【００４５】
分割シートデータｄ２−１は、ＡＤ変換端末Ｄ１へ分割シートデータ送信手段(E)が送信する。  また、分割シートデータ送信手段(E)は、ＡＤ変換端末Ｄ２へ分割シートデータｄ２−２を送信する。
ＡＤ変換端末Ｄ１、ＡＤ変換端末Ｄ２の端末操作者は異なって（異なっていることを別のアルゴリズムによって確保して）いる。したがって、それぞれの端末操作者は、原本シートｄ１の一部分である分割シートデータｄ２−１またはｄ２−２しか閲覧することができない。原本シートｄ１の一部分である分割シートデータｄ２−１またはｄ２−２は、それ単独では意味をなさないデータであるように、前記の二次元分割手段(B)が分割するようにしている。
【００４６】
ＡＤ変換端末Ｄ１の端末操作者は、画面出力手段(D-b)に表示される手書き部分(d0)を見ながら、入力手段(D-c)を操作し、手書き部分(d0)に対応する適切な（適切と端末操作者が考える）デジタルデータ、すなわち分割シートデジタル化データｄ４−１を入力する。
入力を終えたら、デジタルデータ送信手段(D-d)を用いて、手書き文書セキュリティサーバのデジタルデータ受信手段(F)へ送信する。
【００４７】
ＡＤ変換端末Ｄ２は、ＡＤ変換端末Ｄ１と同じように、分割シートデジタル化データｄ４−２を作成し、手書き文書セキュリティサーバのデジタルデータ受信手段(F)へ送信する。
【００４８】
以上のようにして手書き文書セキュリティサーバのデジタルデータ受信手段(F)へ集まった分割シートデジタル化データｄ４−１，ｄ４−２，ｄ４−３，・・・は、紐付けデータｄ３−１，ｄ３−２，ｄ３−３，・・・を用いて、デジタル合成手段(G)がデジタル化完了シートｄ５を作成する。ここにおいて、原本シートｄ１の手書き箇所(d0)のデジタル化が終了する。
【００４９】
（図４）
図４に示すのは、ＡＤ変換端末の端末操作者による入力に対して、手書き文書セキュリティサーバ内で入力ミスの有無をチェックし、正否を判定するという第二の実施形態を示す。
ここでは、ひとつの分割シートデータｄ２−３が二つのＡＤ変換端末Ｄ３，Ｄ４に送られた場合について示す。
【００５０】
ＡＤ変換端末Ｄ３においては、分割シートデータｄ２−３を、分割シートデジタル化データｄ４−３に変換し、ＡＤ変換端末Ｄ４においては、分割シートデータｄ２−３を、分割シートデジタル化データｄ４−３’に変換したとする。
【００５１】
分割シートデジタル化データｄ４−３，ｄ４−３’は、手書き文書セキュリティサーバにおけるデジタルデータ受信手段Ｆが受信する。そして、正否判断手段Ｈが分割シートデジタル化データｄ４−３，ｄ４−３’のいずれが正しいのかを判断する。そして、その判断結果を、正否送信手段ＪがＡＤ変換端末Ｄ３，Ｄ４へ送信する。
【００５２】
詳細な図示は省略するが、正否判断手段Ｈがどのようにして正否を判断するのか、そのアルゴリズムは色々ある。
たとえば、図４での図示例では二つのＡＤ変換端末Ｄ３，Ｄ４に返還させたとしているが、ひとつの分割シートデータｄ２−３を、より多くのＡＤ変換端末へ送信して返還させ，多数決で最も多いものを「正」、「正」ではなかったものを「否」とするアルゴリズムである。
【００５３】
（図５）
手書き文書セキュリティサーバ内に正否判断手段Ｈを備えることなく正否を判断するシステムは、第三の実施形態として図５に示す。
図４に示した正否判断手段Ｈに代わって、ひとつの分割シートデータｄ２−３に対する分割シートデジタル化データが複数種類存在するか否かを判断するための一致判断手段Ｋを備える。
【００５４】
一致判断手段Ｋが不一致と判断した分割シートデータ（この図では、ｄ４−３およびｄ４−３’が不一致）については、スーパーバイザー送信手段Ｌがスーパーバイザー端末Ｍへ当該分割シートデータｄ４−３，ｄ４−３’を送信する。
【００５５】
スーパーバイザー端末を操作するスーパーバイザーとは、文字入力のデジタル変換に関する経験を積んだ人である。送信されてきた（不一致となっている）分割シートデータｄ４−３，ｄ４−３’のいずれが正しいのかを選択し、いずれも正しくない場合には、正規データを新たに入力する、という役割を担う。
【００５６】
上記の役割を担うスーパーバイザーのため、スーパーバイザー端末Ｍは、分割シートデータを受信するデジタル化データ受信手段Ｍ−ａと、受信した分割シートデータを画面出力する画面出力手段Ｍ−ｂと、正規データを入力したり表示された複数の分割シートデータの中から正規であると判断したデータを選択したりする正規データ入力手段Ｍ−ｃと、入力または選択された正規データ（ここではｄ４−３とする）を手書き文書セキュリティサーバへ送信する正規データ送信手段Ｍ−ｄと、を備える。
【００５７】
手書き文書セキュリティサーバに送信されてきた正規データｄ４−３は、正規データ受信手段Ｎが受信する。そして、図２等で説明したように、紐付けデータを用いてデータ合成手段Ｇがデータを合成する。
【００５８】
（図６）
図６は、図５に示した一致判断手段(K)と、スーパーバイザー端末Ｍとの関係を、具体的に説明するための概念図である。
オペレータＶが入力操作をするＡＤ変換端末Ｄ３により、分割シートデジタル化データｄ４−３が「プラチナ古川渡４１１」であったとする。また、オペレータＷが入力操作をするＡＤ変換端末Ｄ４により、分割シートデジタル化データｄ４−３’が「プラチナ古渡」であったとする。
【００５９】
それぞれのＡＤ変換端末Ｄ３，Ｄ４から手書き文書セキュリティサーバへ分割シートデジタル化データｄ４−３，ｄ４−３’が送信され、それをデジタルデータ受信手段(F)が受信する。そして、それらが一致しているか否かを、一致判断手段Ｋが判断する。デジタルデータによる不一致なので、極めて簡単に処理できる。
【００６０】
一致判断手段Ｋによって不一致のデータが発見された場合には、不一致となった分割シートデジタル化データｄ４−３，ｄ４−３’がスーパーバイザー端末Ｍへ送信される。スーパーバイザー端末Ｍでは、分割シートデジタル化データｄ４−３，ｄ４−３’および該当する手書き箇所(d0)が出力される。
スーパーバイザー端末Ｍを操作するスーパーバイザーは、画面出力された手書き箇所および分割シートデジタル化データｄ４−３，ｄ４−３’を比較することによって、いずれの分割シートデジタル化データが正しいかを判断する。
【００６１】
いずれも正しくない、という場合には、スーパーバイザーがスーパーバイザー端末Ｍを操作して正規データ(d4-3)を入力し、分割シートデジタル化データとする。
そして、判断または正しい入力を手書き文書セキュリティサーバへ送信し、デジタルデータとしてのデータ合成がなされる。
【００６２】
なお、「正」または「誤」の判断結果を、ＡＤ変換端末Ｄ３，Ｄ４へスーパーバイザー端末Ｍから直接送信されるわけではない。手書き文書セキュリティサーバにおいて、ＡＤ変換端末Ｄ３，Ｄ４の正誤率などを集計し、ＡＤ変換端末の操作者ごとの採点として用いる。
【００６３】
（図７）
図７に示すのは、手書き入力の手間を軽減するため、手書き文書セキュリティサーバにおいて、ＯＣＲ処理をすることによって、ある程度のデジタル化をしておき、ＡＤ変換端末(D)の操作者による入力作業を軽減するためのオプションである。
デジタル化すべき手書き箇所の文字数が多いような場合に有効である。
以下、具体的に説明する。
【００６４】
スキャニング手段Ａによってスキャニングされた原本シートｄ１に対して、仮デジタル化手段ＰがＯＣＲ処理を施す。ＯＣＲ処理を施したデータは、二次元分割手段Ｂによって分割処理される。
しかし、ＯＣＲ処理を施さないスキャニングされたままのイメージデータについても二次元分割手段Ｂによって分割処理する。
【００６５】
分割処理される分割シートデータ(d2-1,d2-2,d2-3,・・・)がＯＣＲ処理をされていないアナログのままのデータと、ＯＣＲ処理された仮デジタル化データとの二種類を作成し、ＡＤ変換端末(D)へ送信する。
ＡＤ変換端末(D)の操作者にとってＯＣＲ処理が不適切と思われる場合、オリジナルの手書きがどのようになっているのか不明である場合に、オリジナルを参照できるようにするためである。
【産業上の利用可能性】
【００６６】
本願発明は、手書き文書などのアナログデータをデジタル化するためのデータエントリ業、情報システムを構築するシステム業、情報システムや携帯情報端末に対してソフトウェアを提供するソフトウェア作成業、アナログデジタル変換を実現するためのＡＤ変換端末を製造する情報端末製造業、個人情報保護に関するコンサルティング業、身体障害者などの社会的弱者へ仕事を紹介する仕事紹介あっせん業、携帯情報端末を用いてアプリケーション（ゲームを含む）を提供する通信キャリア業、などにおいて、利用可能性を有する。
【符号の説明】
【００６７】
Ａ；  スキャニング手段
Ｂ；  二次元分割手段
Ｃ；  紐付け付与手段
Ｄ；  ＡＤ変換端末（Ｄ１，Ｄ２，Ｄ３，Ｄ４，・・・）
Ｄ−ａ；分割シートデータ受信手段
Ｄ−ｂ；画面出力手段
Ｄ−ｃ；入力手段
Ｄ−ｄ；デジタルデータ送信手段
Ｅ；  分割シートデータ送信手段
Ｆ；  デジタルデータ受信手段
Ｇ；  データ合成手段
Ｈ；  正否判断手段
Ｊ；  正否送信手段
Ｋ；  一致判断手段
Ｌ；  スーパーバイザー送信手段
Ｍ；  スーパーバイザー端末
Ｍ−ａ；デジタル化データ受信手段
Ｍ−ｂ；画面出力手段
Ｍ−ｃ；正規データ入力手段
Ｍ−ｄ；正規データ送信手段
Ｎ；  正規データ受信手段
Ｐ；  仮デジタル化手段（ＯＣＲ手段）
Ｑ；  ゲーム端末（Ｑ１，Ｑ２，Ｑ３，・・・）
Ｓ；  ゲームサーバ
ｄ０；  手書き箇所
ｄ１；  原本シート
ｄ１−１；スキャンデータ
ｄ１−２；仮デジタル化手段（ＯＣＲソフトによる変換データ）
ｄ２；  分割シートデータ
ｄ３；  紐付けデータ
ｄ４；  分割シートデジタル化データ
ｄ５；  デジタル化完了シート
【図１】
2016006579.tif 000003
【図２】
2016006579.tif 000004
【図３】
2016006579.tif 000005
【図４】
2016006579.tif 000006
【図５】
2016006579.tif 000007
【図６】
2016006579.tif 000008
【図７】
2016006579.tif 000009